(57)【要約】【課題】  スペクトラムアナライザが有するミキサによる測定誤差を軽減する。【解決手段】  ＲＦ信号（周波数fRF）とローカル信号（周波数fLo）とを混合して中間周波数（周波数fIF）の信号を出力する乗算器３６に、ＲＦ信号をフィルタリングして与える信号フィルタリング装置１０であって、ＲＦ信号の基本周波数成分(800MHz)を通して、乗算器３６に与えるローパスフィルタ１１４と、ＲＦ信号の高調波成分(1.6ＧHz)を通して、乗算器３６に与えるハイパスフィルタ１１６と、ローカル信号の周波数fLoが所定値を超えている場合にはＨ側に切換え、ローカル信号の周波数fLoが所定値未満の場合にはＬ側に切換えるスイッチ１２２、１２４を備える。【選択図】  図３
2006201082.tif 000002
【特許請求の範囲】
【請求項１】
測定対象信号とローカル信号とを混合して中間周波数の信号を出力する混合手段に、前記測定対象信号をフィルタリングして与える信号フィルタリング装置であって、
前記測定対象信号の基本周波数成分を通して、前記混合手段に与えるローパスフィルタと、
前記測定対象信号の高調波成分を通して、前記混合手段に与えるハイパスフィルタと、
前記ローカル信号の周波数に応じて、前記測定対象信号を前記ローパスフィルタおよび前記ハイパスフィルタのいずれに与えるかを切換える切換手段と、
を備えた信号フィルタリング装置。
【請求項２】
請求項１に記載の信号フィルタリング装置であって、
ミキサに与えるローカル信号の周波数を指示する周波数指示手段を備え、
前記切換手段は、前記周波数指示手段により指示された周波数が、所定値を超えている場合には、前記測定対象信号を前記ハイパスフィルタに与える、
信号フィルタリング装置。
【請求項３】
請求項１に記載の信号フィルタリング装置であって、
ミキサに与えるローカル信号の周波数を指示する周波数指示手段を備え、
前記切換手段は、前記周波数指示手段により指示された周波数が、所定値未満である場合には、前記測定対象信号を前記ローパスフィルタに与える、
信号フィルタリング装置。
【請求項４】
請求項１ないし３のいずれか一項に記載の信号フィルタリング装置と、
前記混合手段の出力に基づき前記測定対象信号を解析する解析手段と、
前記解析手段の解析結果を表示する表示手段と、
を備えたスペクトラムアナライザ。
【請求項５】
測定対象信号とローカル信号とを混合して中間周波数の信号を出力する混合手段に、前記測定対象信号をフィルタリングして与える信号フィルタリング装置であって、前記測定対象信号の基本周波数成分を通して、前記混合手段に与えるローパスフィルタと、前記測定対象信号の高調波成分を通して、前記混合手段に与えるハイパスフィルタとを備える信号フィルタリング装置における信号フィルタリングを行う方法であって、
切換手段が、前記ローカル信号の周波数に応じて、前記測定対象信号を前記ローパスフィルタおよび前記ハイパスフィルタのいずれに与えるかを切換える切換工程、
を備えた信号フィルタリング方法。
【請求項６】
測定対象信号とローカル信号とを混合して中間周波数の信号を出力する混合手段に、前記測定対象信号をフィルタリングして与える信号フィルタリング装置であって、前記測定対象信号の基本周波数成分を通して、前記混合手段に与えるローパスフィルタと、前記測定対象信号の高調波成分を通して、前記混合手段に与えるハイパスフィルタとを備える信号フィルタリング装置における信号フィルタリング処理をコンピュータに実行させるためのプログラムであって、
前記ローカル信号の周波数に応じて、前記測定対象信号を前記ローパスフィルタおよび前記ハイパスフィルタのいずれに与えるかを切換える切換処理、
をコンピュータに実行させるためのプログラム。
【請求項７】
測定対象信号とローカル信号とを混合して中間周波数の信号を出力する混合手段に、前記測定対象信号をフィルタリングして与える信号フィルタリング装置であって、前記測定対象信号の基本周波数成分を通して、前記混合手段に与えるローパスフィルタと、前記測定対象信号の高調波成分を通して、前記混合手段に与えるハイパスフィルタとを備える信号フィルタリング装置における信号フィルタリング処理をコンピュータに実行させるためのプログラムを記録したコンピュータによって読み取り可能な記録媒体であって、
前記ローカル信号の周波数に応じて、前記測定対象信号を前記ローパスフィルタおよび前記ハイパスフィルタのいずれに与えるかを切換える切換処理、
をコンピュータに実行させるためのプログラムを記録したコンピュータによって読み取り可能な記録媒体。
【発明の詳細な説明】
【技術分野】
【０００１】
本発明は、スペクトラムアナライザが有するミキサによる測定誤差の軽減に関する。
【背景技術】
【０００２】
従来より、スペクトラムアナライザを使用して、被測定信号の周波数領域のスペクトルを測定することが行なわれている（例えば、特許文献１を参照）。スペクトラムアナライザはミキサを利用して、被測定信号をローカル信号と混合して、被測定信号の周波数を変換する。
【０００３】
【特許文献１】特開２００１−５９８５２号公報
【発明の開示】
【発明が解決しようとする課題】
【０００４】
しかしながら、スペクトラムアナライザが有するミキサによってスプリアスが発生する。これにより、被測定信号の周波数領域のスペクトルを誤って測定してしまう場合がある。
【０００５】
そこで、本発明は、スペクトラムアナライザが有するミキサによる測定誤差を軽減することを課題とする。
【課題を解決するための手段】
【０００６】
本発明は、測定対象信号とローカル信号とを混合して中間周波数の信号を出力する混合手段に、前記測定対象信号をフィルタリングして与える信号フィルタリング装置であって、前記測定対象信号の基本周波数成分を通して、前記混合手段に与えるローパスフィルタと、前記測定対象信号の高調波成分を通して、前記混合手段に与えるハイパスフィルタと、前記ローカル信号の周波数に応じて、前記測定対象信号を前記ローパスフィルタおよび前記ハイパスフィルタのいずれに与えるかを切換える切換手段とを備えるように構成される。
【０００７】
上記のように構成された発明によれば、測定対象信号とローカル信号とを混合して中間周波数の信号を出力する混合手段に、前記測定対象信号をフィルタリングして与える信号フィルタリング装置が提供される。
【０００８】
ローパスフィルタは、前記測定対象信号の基本周波数成分を通して、前記混合手段に与える。ハイパスフィルタは、前記測定対象信号の高調波成分を通して、前記混合手段に与える。切換手段は、前記ローカル信号の周波数に応じて、前記測定対象信号を前記ローパスフィルタおよび前記ハイパスフィルタのいずれに与えるかを切換える。
【０００９】
また、本発明にかかる信号フィルタリング装置は、ミキサに与えるローカル信号の周波数を指示する周波数指示手段を備え、前記切換手段は、前記周波数指示手段により指示された周波数が、所定値を超えている場合には、前記測定対象信号を前記ハイパスフィルタに与えるようにしてもよい。
【００１０】
また、本発明にかかる信号フィルタリング装置は、ミキサに与えるローカル信号の周波数を指示する周波数指示手段を備え、前記切換手段は、前記周波数指示手段により指示された周波数が、所定値未満である場合には、前記測定対象信号を前記ローパスフィルタに与えるようにしてもよい。
【００１１】
また、本発明によれば、本発明にかかる信号フィルタリング装置と、前記混合手段の出力に基づき前記測定対象信号を解析する解析手段と、前記解析手段の解析結果を表示する表示手段とを備えたスペクトラムアナライザが提供される。
【００１２】
また、本発明は、測定対象信号とローカル信号とを混合して中間周波数の信号を出力する混合手段に、前記測定対象信号をフィルタリングして与える信号フィルタリング装置であって、前記測定対象信号の基本周波数成分を通して、前記混合手段に与えるローパスフィルタと、前記測定対象信号の高調波成分を通して、前記混合手段に与えるハイパスフィルタとを備える信号フィルタリング装置における信号フィルタリングを行う方法であって、切換手段が、前記ローカル信号の周波数に応じて、前記測定対象信号を前記ローパスフィルタおよび前記ハイパスフィルタのいずれに与えるかを切換える切換工程を備えた信号フィルタリング方法である。
【００１３】
また、本発明は、測定対象信号とローカル信号とを混合して中間周波数の信号を出力する混合手段に、前記測定対象信号をフィルタリングして与える信号フィルタリング装置であって、前記測定対象信号の基本周波数成分を通して、前記混合手段に与えるローパスフィルタと、前記測定対象信号の高調波成分を通して、前記混合手段に与えるハイパスフィルタとを備える信号フィルタリング装置における信号フィルタリング処理をコンピュータに実行させるためのプログラムであって、前記ローカル信号の周波数に応じて、前記測定対象信号を前記ローパスフィルタおよび前記ハイパスフィルタのいずれに与えるかを切換える切換処理をコンピュータに実行させるためのプログラムである。
【００１４】
また、本発明は、測定対象信号とローカル信号とを混合して中間周波数の信号を出力する混合手段に、前記測定対象信号をフィルタリングして与える信号フィルタリング装置であって、前記測定対象信号の基本周波数成分を通して、前記混合手段に与えるローパスフィルタと、前記測定対象信号の高調波成分を通して、前記混合手段に与えるハイパスフィルタとを備える信号フィルタリング装置における信号フィルタリング処理をコンピュータに実行させるためのプログラムを記録したコンピュータによって読み取り可能な記録媒体であって、前記ローカル信号の周波数に応じて、前記測定対象信号を前記ローパスフィルタおよび前記ハイパスフィルタのいずれに与えるかを切換える切換処理をコンピュータに実行させるためのプログラムを記録したコンピュータによって読み取り可能な記録媒体である。
【発明を実施するための最良の形態】
【００１５】
以下、本発明の実施形態を図面を参照しながら説明する。
【００１６】
図１は、本発明の実施形態にかかるスペクトラムアナライザ１の構成を示すブロック図である。スペクトラムアナライザ１は、信号フィルタリング装置１０、入力端子２２、減衰器２４、掃引周波数指示部３２、ローカル発振器３４、乗算器（混合手段）３６、Ａ／Ｄ変換器４２、解析部４４、ディスプレイ（表示手段）４６を備える。スペクトラムアナライザ１は、測定対象信号であるＲＦ(Radio Frequency)信号の周波数ごとの電力（パワー）や周波数スペクトルを測定して表示するものである。
【００１７】
入力端子２２は、ＲＦ信号が入力される端子である。減衰器２４は、入力端子２２に入力されたＲＦ信号を減衰させる。
【００１８】
図２は、測定対象信号の周波数スペクトルの一例を示す図である。測定対象信号は、基本周波数成分（800MHz）と高調波成分（1.6GHz）との二成分を有する。基本周波数成分の方が、高調波成分よりもパワーが大きい。なお、高調波成分の周波数は、基本周波数成分の周波数の整数倍（図２の例では、２倍）である。本実施形態では、基本周波数成分および高調波成分のパワーを測定するものとする。
【００１９】
信号フィルタリング装置１０は、減衰器２４からＲＦ信号を受け、フィルタリングを行って出力する。
【００２０】
掃引周波数指示部３２は、ローカル発振器３４が生成するローカル信号の周波数を指示する。掃引周波数指示部３２は、例えば、ローカル発振器３４に、ローカル信号の周波数に対応した電圧を与える。なお、この電圧は、信号フィルタリング装置１０にも与えられる。また、掃引周波数指示部３２は、ローカル信号の周波数を変化（掃引）させる。
【００２１】
ローカル発振器３４は、ローカル信号を生成する。ローカル発振器３４は、例えば、VCO(Voltage Controlled Oscillator ： 電圧制御発振器)である。この場合、掃引周波数指示部３２から受けた電圧に対応した周波数のローカル信号を生成する。
【００２２】
乗算器（混合手段）３６は、信号フィルタリング装置１０から測定対象信号（周波数：fRF）を受け、ローカル発振器３４からローカル信号（周波数：fLo）を受ける。そして、測定対象信号とローカル信号とを混合して中間周波数の信号（周波数：fIF）を出力する。なお、fIF =
fLo - fRFである。また、fIFは一定（例えば、4.4314GHz）である。そこで、ローカル信号の周波数を掃引させることで、パワーが測定されるＲＦ信号の周波数成分を変化させていく。
【００２３】
Ａ／Ｄ変換器４２は、乗算器３６の出力したアナログ信号をデジタル信号に変換する。解析部４４は、Ａ／Ｄ変換器４２の出力するデジタル信号に基づき、測定対象信号の解析を行なう。例えば、周波数とパワーとの関係を求める。ディスプレイ（表示手段）４６は、解析部４４による解析結果（例えば、周波数とパワーとの関係）を表示する。
【００２４】
なお、乗算器３６とＡ／Ｄ変換器４２との間には、さらなる乗算器を備えてさらなるローカル信号との混合を行ってもよい。
【００２５】
図３は、信号フィルタリング装置１０の構成を示すブロック図である。信号フィルタリング装置１０は、比較器１０２、前段ローパスフィルタ１１２、ローパスフィルタ１１４、ハイパスフィルタ１１６、スイッチ（切換手段）１２２、１２４を備える。
【００２６】
比較器１０２は、掃引周波数指示部３２から電圧を受ける。さらに、比較器１０２は、所定の周波数（例えば、1.44GHz）にfIF(=4.4314GHz)を加えた値をローカル発振器３４に発振させるためにローカル発振器３４に与える電圧（基準電圧という）を受ける。そして、比較器１０２は、掃引周波数指示部３２から受けた電圧と、基準電圧との大小関係を示す信号を出力する。
【００２７】
前段ローパスフィルタ１１２は、減衰器２４から受けたＲＦ信号から、高調波成分（1.6GHz）よりも高い周波数成分をカットして、スイッチ１２２に与える。
【００２８】
ローパスフィルタ１１４は、ＲＦ信号の基本周波数成分（800MHz）を通して、乗算器３６に与える。ハイパスフィルタ１１６は、ＲＦ信号の高調波成分（1.6GHz）を通して、乗算器３６に与える。
【００２９】
図４は、ローパスフィルタ１１４およびハイパスフィルタ１１６のゲインを表す図である。ローパスフィルタ１１４のゲインは、800MHz付近ではほぼ一定して高いが、周波数が増加していくにつれてゲインが低くなり、1.6GHzにおいてはゲインが低い。ハイパスフィルタ１１６のゲインは、1.6GHz付近ではほぼ一定して高いが、周波数が減少していくにつれてゲインが低くなり、800MHzにおいては低い。ここで、ローパスフィルタ１１４およびハイパスフィルタ１１６のゲインは、所定の周波数1.44GHzにおいて等しい。また、ローパスフィルタ１１４およびハイパスフィルタ１１６のゲインは、所定の周波数1.44GHzの前後において、ほぼ一定である。
【００３０】
スイッチ（切換手段）１２２、１２４は、比較器１０２からの信号を受けて、ローパスフィルタ１１４およびハイパスフィルタ１１６のいずれかの出力を乗算器３６に与える。
【００３１】
スイッチ（切換手段）１２２は、前段ローパスフィルタ１１２の出力を、ローパスフィルタ１１４およびハイパスフィルタ１１６のいずれかに導く。すなわち、比較器１０２からの信号が、「掃引周波数指示部３２から受けた電圧」≦「基準電圧」であれば、Ｌ側に接続し、前段ローパスフィルタ１１２の出力をローパスフィルタ１１４に導く。比較器１０２からの信号が、「掃引周波数指示部３２から受けた電圧」＞「基準電圧」であれば、Ｈ側に接続し、前段ローパスフィルタ１１２の出力をハイパスフィルタ１１６に導く。
【００３２】
スイッチ（切換手段）１２４は、ローパスフィルタ１１４またはハイパスフィルタ１１６の出力を乗算器３６に与える。すなわち、比較器１０２からの信号が、「掃引周波数指示部３２から受けた電圧」≦「基準電圧」であれば、Ｌ側に接続し、ローパスフィルタ１１４の出力を乗算器３６に与える。比較器１０２からの信号が、「掃引周波数指示部３２から受けた電圧」＞「基準電圧」であれば、Ｈ側に接続し、ハイパスフィルタ１１６の出力を乗算器３６に与える。
【００３３】
次に、本発明の実施形態の動作を説明する。
【００３４】
まず、スペクトラムアナライザ１によって、ＲＦ信号の基本周波数成分（800MHz）のパワーを測定し、さらに、高調波成分（1.6GHz）のパワーを測定することにする。このためには、ローカル信号の周波数fLoを、fIF(=4.4314GHz)＋800MHzよりも低い値（例えば、4.4314GHz+0Hz）からfIF(=4.4314GHz)＋1.6GHzよりも高い値（例えば、4.4314GHz+3.3GHz）まで掃引する。すなわち、ＲＦ信号を0〜3.3GHzまで測定する。
【００３５】
そこで、掃引周波数指示部３２が電圧をローカル発振器３４に与えて、ローカル信号の周波数fLoを上記のように掃引する。
【００３６】
また、ＲＦ信号は入力端子２２からスペクトラムアナライザ１に入力され、減衰器２４によりパワーが減衰されてから信号フィルタリング装置１０に与えられる。信号フィルタリング装置１０の前段ローパスフィルタ１１２は、減衰器２４から受けたＲＦ信号から、高調波成分（1.6GHz）よりも高い周波数成分をカットして、スイッチ１２２に与える。
【００３７】
（１）ローカル信号の周波数が低い場合
ローカル信号の周波数fLoが、fIF(=4.4314GHz)＋800MHzよりも低い値（例えば、4.4314GHz+0Hz）から、所定の周波数（1.44GHz）にfIF(=4.4314GHz)を加えた値に達するまでは、「掃引周波数指示部３２から受けた電圧」≦「基準電圧」ということになる。なお、パワーが測定されるＲＦ信号の周波数成分は、DC（直流）（周波数＝0Hz）から1.44GHzまで変化することになる。
【００３８】
この場合、スイッチ（切換手段）１２２は、比較器１０２からの信号を受け、Ｌ側に接続し、前段ローパスフィルタ１１２の出力をローパスフィルタ１１４に導く。ローパスフィルタ１１４は、ＲＦ信号の基本周波数成分（800MHz）を通す。また、スイッチ（切換手段）１２４は、比較器１０２からの信号を受け、Ｌ側に接続し、ローパスフィルタ１１４の出力を乗算器３６に与える。
【００３９】
（２）ローカル信号の周波数が高い場合
ローカル信号の周波数fLoが、所定の周波数（1.44GHz）にfIF(=4.4314GHz)を加えた値を超え、fIF(=4.4314GHz)＋1.6GHzよりも高い値（例えば、4.4314GHz+3.3GHz）に達するまでは、「掃引周波数指示部３２から受けた電圧」＞「基準電圧」ということになる。なお、パワーが測定されるＲＦ信号の周波数成分は、1.44GHzから1.6GHzよりも高い値（例えば、3.3GHz）まで変化することになる。
【００４０】
この場合、スイッチ（切換手段）１２２は、比較器１０２からの信号を受け、Ｈ側に接続し、前段ローパスフィルタ１１２の出力をハイパスフィルタ１１６に導く。ハイパスフィルタ１１６は、ＲＦ信号の高調波成分（1.6GHz）を通す。また、スイッチ（切換手段）１２４は、比較器１０２からの信号を受け、Ｈ側に接続し、ハイパスフィルタ１１６の出力を乗算器３６に与える。
【００４１】
上記（１）、（２）の双方の場合において、乗算器３６は、信号フィルタリング装置１０から測定対象信号（周波数：fRF）を受け、ローカル発振器３４からローカル信号（周波数：fLo）を受ける。そして、測定対象信号とローカル信号とを混合して中間周波数の信号（周波数：fIF）を出力する。
【００４２】
そして、Ａ／Ｄ変換器４２により、乗算器３６の出力したアナログ信号がデジタル信号に変換される。解析部４４により、デジタル信号に基づき、測定対象信号の解析が行なわれる。例えば、周波数とパワーとの関係を求められる。最後に、ディスプレイ４６により、解析部４４による解析結果（例えば、周波数とパワーとの関係）が表示される。
【００４３】
本発明の実施形態によれば、スペクトラムアナライザ１が有する乗算器（混合手段）３６による測定誤差を軽減することができる。これについて、（１）ローカル信号の周波数が低い場合、および、（２）ローカル信号の周波数が高い場合、に分けて説明する。
【００４４】
（１）ローカル信号の周波数が低い場合
乗算器（混合手段）３６においては、fIF =
fLo - fRFが成立する。しかし、乗算器３６においてはスプリアスが発生し、fIF = m・fLo - n・fRF（ただし、ｍおよびｎは正の整数）となることがある。ここで、ｍ＝１、ｎ＝２とすれば、fIF = fLo - 2・fRFとなる。
【００４５】
ローカル信号の周波数が低い場合（fLo≦（1.44＋4.4314）GHz）、ＲＦ信号の基本周波数成分（800MHz = 0.8GHz）のパワーを測定することが目的である。よって、fLo = fIF ＋ fRF = (4.4314+0.8)GHzのときに測定されるパワーが、基本周波数成分（800MHz）のパワーである。
【００４６】
しかし、スプリアス（ただし、ｍ＝１、ｎ＝２）が発生すれば、fLo = fIF ＋ 2・fRFとなる。ＲＦ信号の基本周波数成分（800MHz）によれば、fLo = fIF ＋ 2・fRF = (4.4314+2・0.8)GHz =
(4.4314+1.6)GHzとなる。fLo - fIF =
1.6GHzなので、基本周波数成分（800MHz）により引き起こされるスプリアスのパワーを、1.6GHz成分のパワーと誤認してしまうことになる。
【００４７】
しかし、ローカル信号の周波数が低い場合は、上記のように、ＲＦ信号はローパスフィルタ１１４によりフィルタリングされる。ローパスフィルタ１１４のゲインは図４に示すように、1.6GHzにおいて低い。このため、乗算器３６において1.6GHz成分により引き起こされるスプリアスのパワーは低い。
【００４８】
よって、乗算器３６におけるスプリアスのパワーを低くできるため、基本周波数成分（800MHz）のパワーを正確に測定できる。
【００４９】
なお、ＲＦ信号が基本周波数成分（800MHz）を有する場合を例にとって説明したが、さらに他の数値例を挙げてローパスフィルタ１１４によるフィルタリングの効果を説明する。
【００５０】
ＲＦ信号の周波数が2.3671GHzであったとする。また、スプリアス（ただし、ｍ＝２、ｎ＝２）が発生したとする。すると、fIF
= 2・fLo - 2・fRFとなる。このとき、fLo = (fIF+2・fRF)／2 = 4.5828GHzとなる。
【００５１】
ここで、乗算器３６においては、スプリアスが発生していなければ、fIF = fLo -
fRFが成立する。よって、fRF = fLo -
fIF = 4.5828 - 4.4314 = 0.1514GHzの信号がＲＦ信号に含まれているかのように見える。
【００５２】
この場合、ローパスフィルタ１１４が2.3671GHzの信号を通すが、2・2.3671GHzを通さない（すなわち、ゲインが低い）ようなものであれば、2・fRF成分をカットして乗算器３６に与えることになるので、スプリアスが抑制される。よって、0.1514GHzの信号がＲＦ信号に含まれているかのように見えることが防止できる。
【００５３】
（２）ローカル信号の周波数が高い場合
乗算器（混合手段）３６においては、fIF =
fLo - fRFが成立する。しかし、乗算器３６においてはスプリアスが発生し、fIF = m・fLo - n・fRF（ただし、ｍおよびｎは正の整数）となることがある。ここで、ｍ＝１、ｎ＝２とすれば、fIF = fLo - 2・fRFとなる。
【００５４】
ローカル信号の周波数が高い場合（fLo＞（1.44＋4.4314）GHz）、ＲＦ信号の高調波成分（1.6GHz）のパワーを測定することが目的である。よって、fLo = fIF ＋ fRF = (4.4314+1.6)GHzのときに測定されるパワーが、高調波成分（1.6GHz）のパワーであるはずである。
【００５５】
しかし、スプリアス（ただし、ｍ＝１、ｎ＝２）が発生すれば、fLo = fIF ＋ 2・fRFとなる。ＲＦ信号には基本周波数成分（800MHz = 0.8GHz）が含まれているため、fLo =
fIF ＋ 2・fRF = (4.4314+2・0.8)GHz = (4.4314+1.6)GHzとなる。これは、fLo = fIF ＋ fRF =
(4.4314+1.6)GHzのときに測定されるパワーは、高調波成分（1.6GHz）のパワーに、基本周波数成分（800MHz）により引き起こされるスプリアスのパワーを加えたものになってしまうことを意味する。
【００５６】
しかし、ローカル信号の周波数が高い場合は、上記のように、ＲＦ信号はハイパスフィルタ１１６によりフィルタリングされる。ハイパスフィルタ１１６のゲインは図４に示すように、基本周波数成分（800MHz）において低い。このため、乗算器３６において基本周波数成分（800MHz）により引き起こされるスプリアスのパワーは低い。
【００５７】
よって、乗算器３６におけるスプリアスのパワーを低くできるため、高調波成分（1.6GHz）のパワーを正確に測定できる。
【００５８】
また、上記の実施形態は、以下のようにして実現できる。ＣＰＵ、ハードディスク、メディア（フロッピー（登録商標）ディスク、ＣＤ−ＲＯＭなど）読み取り装置を備えたコンピュータのメディア読み取り装置に、上記の各部分（例えば、比較器１０２、スイッチ（切換手段）１２２、１２４）の機能を実現するプログラムを記録したメディアを読み取らせて、ハードディスクにインストールする。このような方法でも、上記の機能を実現できる。
【図面の簡単な説明】
【００５９】
【図１】本発明の実施形態にかかるスペクトラムアナライザ１の構成を示すブロック図である。
【図２】測定対象信号の周波数スペクトルの一例を示す図である。
【図３】信号フィルタリング装置１０の構成を示すブロック図である。
【図４】ローパスフィルタ１１４およびハイパスフィルタ１１６のゲインを表す図である。
【符号の説明】
【００６０】
１  スペクトラムアナライザ
１０  信号フィルタリング装置
１０２  比較器
１１２  前段ローパスフィルタ
１１４  ローパスフィルタ
１１６  ハイパスフィルタ
１２２、１２４  スイッチ（切換手段）
３２  掃引周波数指示部
３４  ローカル発振器
３６  乗算器（混合手段）
４２  Ａ／Ｄ変換器
４４  解析部
４６  ディスプレイ（表示手段）
【図１】
2006201082.tif 000003
【図２】
2006201082.tif 000004
【図３】
2006201082.tif 000005
【図４】
2006201082.tif 000006